(57)【要約】【課題】色によって画素の位置ずれ量が異なることに起因する画質劣化を防止しつつ表示解像度の向上が可能な画像表示装置を提供する。【解決手段】本発明のプロジェクター１は、異なる色の複数の色光を含む光を射出する光源７と、複数の画素がマトリクス状に配置され、光源からの光を異なる色光毎に変調する複数の液晶ライトバルブ３Ｒ，３Ｇ，３Ｂと、各液晶ライトバルブによって変調された色光を合成するクロスダイクロイックプリズム４と、クロスダイクロイックプリズムで合成された光を被投射面上に投射する投射レンズ５と、投射レンズ５を振動させる振動機構３０と、を備え、振動機構３０が投射レンズ５を振動させることで、スクリーン２８上に形成される複数の光変調素子の画素像の位置を時間的にずらすことを特徴とする。【選択図】図１
2010243789.tif 000002
【特許請求の範囲】
【請求項１】
異なる色の複数の色光を含む光を射出する光源と、
複数の画素がマトリクス状に配置され、前記光源からの光を前記異なる色光毎に変調する複数の光変調素子と、
前記複数の光変調素子の各々によって変調された色光を合成する色合成光学系と、
前記色合成光学系によって合成された光を被投射面上に投射する投射光学系と、
前記投射光学系を振動させる振動手段と、を備え、
前記振動手段が前記投射光学系を振動させることにより、前記被投射面上に形成される前記複数の光変調素子の画素像の位置を時間的にずらすことを特徴とする画像表示装置。
【請求項２】
異なる色の複数の色光を含む光を射出する光源と、
複数の画素がマトリクス状に配置され、前記光源からの光を前記異なる色光毎に変調する複数の光変調素子と、
前記複数の光変調素子の各々によって変調された色光を合成する色合成光学系と、
前記色合成光学系によって合成された光を被投射面上に投射する投射光学系と、
前記複数の光変調素子のうちの少なくとも一つの光変調素子を振動させる振動手段と、を備え、
前記振動手段が前記少なくとも一つの光変調素子を振動させることにより、前記被投射面上に形成される前記少なくとも一つの光変調素子の画素像の位置を時間的にずらすことを特徴とする画像表示装置。
【請求項３】
前記振動手段が前記複数の光変調素子の全てを振動させ、
前記振動手段が前記全ての光変調素子を振動させることにより、前記被投射面上に形成される前記全ての光変調素子の画素像の位置を時間的にずらすことを特徴とする請求項２に記載の画像表示装置。
【請求項４】
前記複数の光変調素子が前記色合成光学系に固定されてなる光変調ユニットを備え、
前記振動手段が前記光変調ユニットを振動させることを特徴とする請求項３に記載の画像表示装置。
【請求項５】
前記画素像の位置を、前記被投射面上の複数の前記画素像の配列方向に対して斜め方向にずらすことを特徴とする請求項１ないし４のいずれか一項に記載の画像表示装置。
【請求項６】
異なる色の複数の色光を含む光を射出する光源と、複数の画素がマトリクス状に配置され、前記光源からの光を前記異なる色光毎に変調する複数の光変調素子と、前記複数の光変調素子の各々によって変調された色光を合成する色合成光学系と、前記色合成光学系によって合成された光を被投射面上に投射する投射光学系と、を備えた画像表示装置を用いた画像表示方法であって、
前記投射光学系を振動させることにより、前記被投射面上に形成される前記複数の光変調素子の画素像の位置を時間的にずらすことを特徴とする画像表示方法。
【請求項７】
異なる色の複数の色光を含む光を射出する光源と、複数の画素がマトリクス状に配置され、前記光源からの光を前記異なる色光毎に変調する複数の光変調素子と、前記複数の光変調素子の各々によって変調された色光を合成する色合成光学系と、前記色合成光学系によって合成された光を被投射面上に投射する投射光学系と、を備えた画像表示装置を用いた画像表示方法であって、
前記複数の光変調素子のうちの少なくとも一つの光変調素子を振動させることにより、前記被投射面上に形成される前記少なくとも一つの光変調素子の画素像の位置を時間的にずらすことを特徴とする画像表示方法。
【発明の詳細な説明】
【技術分野】
【０００１】
本発明は、画像表示装置および画像表示方法に関する。
【背景技術】
【０００２】
プロジェクター等の投射型の画像表示装置において、その画像表示装置が液晶ライトバルブ等の光変調素子を備えている場合、スクリーン上に投射した画像の解像度は光変調素子の解像度（水平画素数、垂直画素数）に一致するのが通常である。なお、「スクリーン上に投射した画像の解像度」のことを以下、「表示解像度」と称する。ここで、光変調素子の解像度を変えることなく表示解像度を向上させる方法として、光変調素子の数を増やし、スクリーン上で各光変調素子が作る各画素の像の位置をずらして投射する方法がある。ところが、この方法では、光変調素子の数を増やす必要があるため、著しいコストの増大を招くという課題がある。
【０００３】
上記の課題を解決する方法として、各画素の像の位置を空間的にずらすのではなく、時間軸でずらす方法が提案されている（例えば、特許文献１参照）。特許文献１では、一つの具体例として、光変調素子と投射レンズとの間に平行平板を光軸の法線に対して傾けて装入し、平行平板の傾き角度を変化させることでフィールド毎に光軸をシフトさせ、画素の位置を時間的にずらす構成が開示されている。また、他の具体例として、屈折率もしくは屈折量が異なる２つの領域を有する回転板を光変調素子と投射レンズとの間に斜めに装入し、この回転板を回転させることで光軸をシフトさせ、画素の像の位置を時間的にずらす構成が開示されている。
【先行技術文献】
【特許文献】
【０００４】
【特許文献１】特開平１１−２９８８２９号公報
【発明の概要】
【発明が解決しようとする課題】
【０００５】
ところが、上記特許文献１の表示装置のように、平行平板や回転板を斜めに装入して光を屈折させた場合、プリズムと同じ原理で波長が短い光は屈折率が大きく、波長が長い光は屈折率が小さくなる。また、平行平板や回転板の傾き角度の大きさと光軸のシフト量とは比例関係にある。そのため、赤色（Ｒ）光、緑色（Ｇ）光、青色（Ｂ）光の違いによって光軸のシフト量が異なる。その結果、Ｒ画素、Ｇ画素、Ｂ画素で位置ずれ量がそれぞれ異なり、画質の劣化を招いてしまう。
【０００６】
本発明は、上記の課題を解決するためになされたものであって、色（波長域）によって画素の位置ずれ量が異なることに起因する画質劣化を防止しつつ表示解像度の向上が可能な画像表示装置および画像表示方法を提供することを目的とする。
【課題を解決するための手段】
【０００７】
上記の目的を達成するために、本発明の画像表示装置は、異なる色の複数の色光を含む光を射出する光源と、複数の画素がマトリクス状に配置され、前記光源からの光を前記異なる色光毎に変調する複数の光変調素子と、前記複数の光変調素子の各々によって変調された色光を合成する色合成光学系と、前記色合成光学系によって合成された光を被投射面上に投射する投射光学系と、前記投射光学系を振動させる振動手段と、を備え、前記振動手段が前記投射光学系を振動させることにより、前記被投射面上に形成される前記複数の光変調素子の画素像の位置を時間的にずらすことを特徴とする。
【０００８】
従来の画像表示装置における平行平板や回転板は光を屈折させて光軸シフトを生じさせるための部材であり、色収差に対する配慮がなされていなかったのに対し、本発明において画素像の位置を時間的にずらす手段である投射光学系は、画像表示装置を構成する光学部品として色収差が最小となるように調整されたものである。したがって、本発明の構成によれば、各色光に対応する画素間での位置ずれ量の差を十分に小さくできるため、色収差による画質劣化を防止しつつ表示解像度の向上が可能な画像表示装置を実現できる。また、投射光学系は、ズーム機構、レンズシフト機構等の駆動部を元々備えているため、他の光学部材に比べて振動機構を構成しやすい。
【０００９】
本発明の他の画像表示装置は、異なる色の複数の色光を含む光を射出する光源と、複数の画素がマトリクス状に配置され、前記光源からの光を前記異なる色光毎に変調する複数の光変調素子と、前記複数の光変調素子の各々によって変調された色光を合成する色合成光学系と、前記色合成光学系によって合成された光を被投射面上に投射する投射光学系と、前記複数の光変調素子のうちの少なくとも一つの光変調素子を振動させる振動手段と、を備え、前記振動手段が前記少なくとも一つの光変調素子を振動させることにより、前記被投射面上に形成される前記少なくとも一つの光変調素子の画素像の位置を時間的にずらすことを特徴とする。
【００１０】
従来の画像表示装置では、光変調素子と投射レンズとの間に平行平板や回転板を装入しているので、平行平板や回転板に全ての色光が入射され、平行平板や回転板の内部で全ての色光の光軸がシフトする構成であった。これに対して、本発明の構成では、複数の色光の各々に対応する光変調素子のうち、少なくとも一つの光変調素子の画素像の位置を時間的にずらすので、投射光学系への光の相対的な入射位置がずれ、このときの画素像の位置ずれ量は、従来の装置における画素像の位置ずれ量に比べて小さくなる。したがって、本発明の構成によれば、色収差による画質劣化を防止しつつ表示解像度の向上が可能な画像表示装置を実現することができる。
【００１１】
本発明の画像表示装置において、前記振動手段が前記複数の光変調素子の全てを振動させ、前記振動手段が前記全ての光変調素子を振動させることにより、前記被投射面上に形成される前記全ての光変調素子の画素像の位置を時間的にずらす構成としても良い。
この構成によれば、全ての光変調素子が振動したとき、全ての光変調素子から射出される光の投射光学系に対する入射位置が時間的にずれるため、平行平板や回転板の内部で全ての色光の光軸をシフトさせる従来の構成に比べて、画素像の位置ずれ量を小さくできる。
【００１２】
本発明の画像表示装置において、前記複数の光変調素子が前記色合成光学系に固定されてなる光変調ユニットを備え、前記振動手段が前記光変調ユニットを振動させる構成としても良い。
この構成によれば、複数の光変調素子を、相互の位置関係を保ったまま安定して振動させることができるとともに、複数の光変調素子を振動させるための振動機構の構成をより簡略化できる。
【００１３】
本発明の画像表示装置において、前記画素像の位置を、前記被投射面上の複数の前記画素像の配列方向に対して斜め方向にずらすことが望ましい。
この構成によれば、画面の水平方向、垂直方向の双方においてバランス良く、表示解像度を高めることができる。
【００１４】
本発明の画像表示方法は、異なる色の複数の色光を含む光を射出する光源と、複数の画素がマトリクス状に配置され、前記光源からの光を前記異なる色光毎に変調する複数の光変調素子と、前記複数の光変調素子の各々によって変調された色光を合成する色合成光学系と、前記色合成光学系によって合成された光を被投射面上に投射する投射光学系と、を備えた画像表示装置を用いた画像表示方法であって、前記投射光学系を振動させることにより、前記被投射面上に形成される前記複数の光変調素子の画素像の位置を時間的にずらすことを特徴とする。
【００１５】
本発明の画像表示方法によれば、色収差が最小となるように調整された投射光学系を用いて画素像の位置をずらすため、各色光に対応する画素間での位置ずれ量の差を十分に小さくでき、色収差による画質劣化を防止しつつ表示解像度の向上が可能な画像表示装置を実現できる。
【００１６】
本発明の他の画像表示方法は、異なる色の複数の色光を含む光を射出する光源と、複数の画素がマトリクス状に配置され、前記光源からの光を前記異なる色光毎に変調する複数の光変調素子と、前記複数の光変調素子の各々によって変調された色光を合成する色合成光学系と、前記色合成光学系によって合成された光を被投射面上に投射する投射光学系と、を備えた画像表示装置を用いた画像表示方法であって、前記複数の光変調素子のうちの少なくとも一つの光変調素子を振動させることにより、前記被投射面上に形成される前記少なくとも一つの光変調素子の画素像の位置を時間的にずらすことを特徴とする。
【００１７】
本発明の画像表示方法によれば、特定の時刻で同じ位置に投射される画素像の位置ずれ量が従来に比べて小さくなるため、色収差による画質劣化を防止しつつ表示解像度の向上が可能な画像表示装置を実現することができる。
【図面の簡単な説明】
【００１８】
【図１】本発明の第１実施形態のプロジェクターの概略構成図である。
【図２】投射レンズを振動させたときの作用を説明するための図である。
【図３】画素像の位置をずらした様子を示す図である。
【図４】本発明の第２実施形態のプロジェクターの概略構成図である。
【図５】光変調ユニットを振動させたときの作用を説明するための図である。
【図６】本発明の第３実施形態のプロジェクターの概略構成図である。
【図７】液晶ライトバルブを振動させたときの作用を説明するための図である。
【発明を実施するための形態】
【００１９】
［第１実施形態］
以下、本発明の第１実施形態について図１〜図３を用いて説明する。
本実施形態の画像表示装置は、３枚の液晶ライトバルブを備えた、いわゆる３板式のプロジェクターの構成例である。
図１は、本実施形態のプロジェクターの概略構成図である。図２は、投射レンズを振動させたときの作用を説明するための図である。図３は、画素像の位置をずらした様子を示す図である。なお、以下の各図面においては、構成要素を見やすくするため、構成要素に応じて寸法の比率や縮尺を異ならせることがある。
【００２０】
本実施形態のプロジェクター１は、図１に示すように、照明光学系２、液晶ライトバルブ３Ｒ，３Ｇ，３Ｂ（光変調素子）、クロスダイクロイックプリズム４（色合成光学系）、投射レンズ５（投射光学系）等を備えている。本実施形態の照明光学系２は、光源７、光源７の後段に順に配置された一対のフライアイレンズアレイ８、偏光変換素子９、ダイクロイックミラー１０，１１等から構成されている。光源７は、高圧水銀ランプやメタルハライドランプ等の白色ランプ１２と、白色ランプ１２の光を反射させて前方に射出するリフレクター１３とから構成されている。したがって、白色ランプ１２からは、赤色光（Ｒ光）、緑色光（Ｇ光）、青色光（Ｂ光）、すなわち異なる色の複数の色光を含む白色光が射出される。
【００２１】
一対のフライアイレンズアレイ８は、光源７から射出された光の光強度の分布を均一化するものである。これにより、被照明領域である液晶ライトバルブ３Ｒ，３Ｇ，３Ｂに照射される光の照度分布が均一化される。
偏光変換素子９は、その詳細な構造を図示しないが、偏光ビームスプリッターアレイ（ＰＢＳアレイ）と１／２波長板アレイとを有している。フライアイレンズアレイ８からＰＢＳアレイに入射した光のうち、第１の偏光方向の直線偏光がＰＢＳアレイ内の偏光分離膜（ＰＢＳ膜）を透過するとともに、第２の偏光方向の直線偏光がＰＢＳアレイ内のＰＢＳ膜で反射する。反射した偏光は、１／２波長板アレイによって偏光方向が第１の偏光方向に変化して射出される。このように偏光変換素子９は、光源光の光量を損なうことなく光源光の偏光方向を一方向に揃えるように構成されている。
【００２２】
ダイクロイックミラー１０，１１は、例えばガラス表面に誘電体多層膜を積層したものである。これにより、所定の波長帯域の色光が選択的に反射し、それ以外の波長帯域の色光が透過するようになっている。具体的には、光源７から射出された光源光のうち、赤色光ＬＲがダイクロイックミラー１０を透過するとともに、緑色光ＬＧおよび青色光ＬＢがダイクロイックミラー１０で反射する。また、ダイクロイックミラー１０で反射した緑色光ＬＧおよび青色光ＬＢのうち、青色光ＬＢがダイクロイックミラー１１を透過し、緑色光ＬＧがダイクロイックミラー１１で反射する。
【００２３】
ダイクロイックミラー１０を透過した赤色光ＬＲは、反射ミラー１５で反射し、平行化レンズ１６を経て赤色光用の液晶ライトバルブ３Ｒに入射する。ダイクロイックミラー１１で反射した緑色光ＬＧは、平行化レンズ１６を経て緑色光用の液晶ライトバルブ３Ｇに入射する。ダイクロイックミラー１１を透過した青色光ＬＢは、リレー光学系１７を経て青色光用の液晶ライトバルブ３Ｂに入射する。リレー光学系１７は、ダイクロイックミラー１１側から順に配置されたリレーレンズ１８、反射ミラー１９、リレーレンズ２０、反射ミラー２１、リレーレンズ２２等からなっている。リレーレンズ２２は、平行化レンズとしても機能する。青色光の場合、他の色光に比べて光源７から液晶ライトバルブ３Ｂまでの光路が長いため、光路が長いことによる光損失を防ぐため、このようなリレー光学系１７を設けている。
【００２４】
液晶ライトバルブ３Ｒ，３Ｇ，３Ｂの各々は、透過型液晶セル２４と、その入射側、射出側にそれぞれ設けられた偏光板２５，２６とから構成されている。透過型液晶セル２４は、例えばアクティブマトリクス型のものであり、一対の電極間に挟持された液晶層を有している。また、液晶ライトバルブ３Ｒ，３Ｇ，３Ｂは、画像信号を供給する信号源に電気的に接続されている。信号源から画像信号が供給されると、透過型液晶セル２４の電極間に電圧が印加され、この印加電圧に応じて液晶分子の配向方向が制御される。これにより、光を変調することが可能になっている。各液晶ライトバルブ３Ｒ，３Ｇ，３Ｂで変調された赤色光ＬＲ、緑色光ＬＧ、青色光ＬＢは、クロスダイクロイックプリズム４に入射する。
【００２５】
クロスダイクロイックプリズム４は、三角柱プリズムが貼り合わされた構造となっており、その内面に赤色光ＬＲが反射して緑色光ＬＢが透過する選択反射面と、青色光ＬＢが反射して緑色光ＬＧが透過する選択反射面とが互いに直交して形成されている。赤色光ＬＲおよび青色光ＬＢはこれらの選択反射面で選択的に反射し、緑色光ＬＧはこれらの選択反射面を選択的に透過し、３つの色光は同じ側に射出される。これにより、３つの色光が重ね合わされて合成光Ｌとなる。
【００２６】
クロスダイクロイックプリズム４を射出した合成光Ｌは、複数のレンズ群からなる投射レンズ５によりスクリーン２８（被投射面）上に拡大投射される。本実施形態においては、投射レンズ５を投射レンズ５の光軸と平行な面内（矢印Ａの方向）で振動させるための振動機構３０（振動手段）が設けられている。したがって、振動機構３０は、投射レンズ５を投射レンズ５の光軸に垂直な方向に振動させる。振動機構３０は、投射レンズ５を例えば１２０Ｈｚで振動させることができるものであれば如何なるものでも良いが、一例として圧電素子を用いたものが挙げられる。
【００２７】
投射レンズ５が振動、すなわち投射レンズ５の光軸と平行な面内で移動したときの作用を図２に示す。なお、図２では投射レンズ５を１枚のレンズとして示す。投射レンズ５が実線で示す位置から２点鎖線で示した位置まで距離ΔＸ１だけ移動したとき、投射レンズ５に対する相対的な光Ｌの入射位置が変わるため、光の集束位置Ｐが投射レンズ５の光軸と平行な面内で投射レンズ５の移動方向と同じ方向に移動し、スクリーン２８上での投射位置も投射レンズ５の移動方向と同じ方向に距離ΔＸ２だけ移動する。
【００２８】
スクリーン２８上に投射された画素の像が移動する様子を図３に示す。本実施形態では、画像は６０Ｈｚ毎に書き換えられるフレーム（すなわち、１フレーム＝１／６０秒）で構成され、投射レンズ５は１２０Ｈｚで振動するものとする。このとき、図３に示すように、任意の１／１２０秒（これを第１フィールドと称する）で実線の位置にある複数の画素像からなる格子は、次の１／１２０秒（これを第２フィールドと称する）では破線で示す位置に移動する。複数の画素像はスクリーン２８の水平方向および垂直方向に配列されているが、移動方向は画素像の配列方向に対して斜め方向である。また、移動距離ΔＸ２は、１つの格子の対角線の長さの１／２に設定することが望ましい。このようにして、第１フィールドの位置にある画像は６０Ｈｚ毎に書き換えられ、第１フィールドの位置からずれた第２フィールドの位置にある画像も６０Ｈｚ毎に書き換えられることになる。
【００２９】
従来の画像表示装置における平行平板や回転板は光を屈折させて光軸シフトを生じさせるための部材であり、色収差に対する配慮がなされていなかったのに対し、本実施形態において画素像の位置を時間的にずらす手段である投射レンズ５は、元来、プロジェクターの光学部品として色収差が最小となるように十分に調整されたものである。したがって、本構成によれば、各色光に対応する画素間での位置ずれ量の差を十分に小さくできるため、色収差による画質劣化を防止しつつ表示解像度の向上が可能なプロジェクターを実現できる。また、投射レンズ５は、ズーム機構、レンズシフト機構等の駆動部を元々備えているため、他の光学部材に比べて振動機構を構成しやすい。また、本実施形態では画素像の配列方向に対して斜め方向に画素像の位置をずらしているので、画面の水平方向、垂直方向の双方においてバランス良く、表示解像度を高めることができる。
【００３０】
［第２実施形態］
以下、本発明の第２実施形態について図４、図５を用いて説明する。
本実施形態の画像表示装置も３板式のプロジェクターの構成例であり、その基本構成は第１実施形態と同様である。
図４は、本実施形態のプロジェクターの概略構成図である。図５は、光変調ユニットを振動させたときの作用を説明するための図である。図４において第１実施形態の図１と共通の構成要素には同一の符号を付し、詳細な説明は省略する。
【００３１】
第１実施形態では投射レンズ５を振動させる構成であったのに対し、本実施形態のプロジェクター３１は、図４に示すように、３組の液晶ライトバルブ３Ｒ，３Ｇ，３Ｂを同時に振動させる構成となっている。具体的には、クロスダイクロイックプリズム４を収容する箱形の支持部材３３が設けられ、クロスダイクロイックプリズム４の各光入射面に対向するように３組の液晶ライトバルブ３Ｒ，３Ｇ，３Ｂが支持部材３３に対して固定されており、全体として光変調ユニット３４を構成している。本実施形態では、光変調ユニット３４を投射レンズ５の光軸と平行な面内（矢印Ａの方向）で振動させるための振動機構３５（振動手段）が設けられている。したがって、振動機構３５を駆動させることにより、３組の液晶ライトバルブ３Ｒ，３Ｇ，３Ｂが同じ方向に同じ距離だけ同時に移動するようになっている。振動機構３５としては、第１実施形態と同様、光変調ユニット３４を例えば１２０Ｈｚで振動させることができるものであれば良く、一例として圧電素子を用いたものが挙げられる。
【００３２】
光変調ユニット３４が投射レンズ５の光軸と平行な面内で移動したときの作用を図５に示す。なお、図５では、図面を見やすくするため、各液晶ライトバルブ３Ｒ，３Ｇ，３Ｂから入射される光の光路のうち、青色光（Ｂ光）の光路のみを示す。光変調ユニット３４が実線で示す位置から２点鎖線で示した位置まで距離ΔＸ１だけ移動したとき、３つの色光ともに、投射レンズ５に対する相対的な光の入射位置が変わるため、スクリーン２８上での投射位置は光変調ユニット３４の移動方向と逆の方向に距離ΔＸ２だけ移動する。
【００３３】
本実施形態においても、各色光に対応する画素間での位置ずれ量の差を十分に小さくできるため、色収差による画質劣化を防止しつつ表示解像度の向上が可能なプロジェクターを実現できる、という第１実施形態と同様の効果が得られる。また、３組の液晶ライトバルブ３Ｒ，３Ｇ，３Ｂがクロスダイクロイックプリズム４とともに光変調ユニット３４として一体化され、振動機構３５が光変調ユニット３４を振動させる構成であるから、３組の液晶ライトバルブ３Ｒ，３Ｇ，３Ｂを、相互の位置関係を保ったまま安定して振動させることができるとともに、振動機構３５の構成をより簡略化できる。
【００３４】
［第３実施形態］
以下、本発明の第３実施形態について図６、図７を用いて説明する。
本実施形態の画像表示装置も３板式のプロジェクターの構成例であり、その基本構成は第１実施形態と同様である。
図６は、本実施形態のプロジェクターの概略構成図である。図７は、液晶ライトバルブを振動させたときの作用を説明するための図である。図６において第１実施形態の図１と共通の構成要素には同一の符号を付し、詳細な説明は省略する。
【００３５】
第２実施形態では３組の液晶ライトバルブ３Ｒ，３Ｇ，３Ｂを一体として振動させる構成であったのに対し、本実施形態のプロジェクター４１は、図６に示すように、１組の液晶ライトバルブ３Ｇのみを振動させる構成となっている。具体的には、緑色光（Ｇ光）用の液晶ライトバルブ３Ｇを投射レンズ５の光軸と平行な面内（矢印Ａの方向）で振動させるための振動機構４５（振動手段）が設けられている。振動機構４５としては、第１実施形態と同様、液晶ライトバルブ３Ｇを例えば１２０Ｈｚで振動させることができるものであれば良く、一例として圧電素子を用いたものが挙げられる。
【００３６】
緑色光（Ｇ光）用の液晶ライトバルブ３Ｇが投射レンズ５の光軸と平行な面内で移動したときの作用を図７に示す。液晶ライトバルブ３Ｇが実線で示す位置から２点鎖線で示した位置まで距離ΔＸ１だけ移動したとき、投射レンズ５に対する相対的な緑色光の入射位置が変わるため、スクリーン２８上での投射位置は液晶ライトバルブ３Ｇの移動方向と逆の方向に距離ΔＸ２だけ移動する。したがって、本実施形態の場合、赤色の画素像と青色の画素像は第１フィールド、第２フィールドともに同じ位置にあり、移動しないが、緑色の画素像だけは第１フィールド、第２フィールドで位置がずれる。
【００３７】
本実施形態においても、各色光に対応する画素間での位置ずれ量の差を十分に小さくできるため、色収差による画質劣化を防止しつつ表示解像度の向上が可能なプロジェクターを実現できる、という第１実施形態と同様の効果が得られる。また、３つの液晶ライトバルブ３Ｒ，３Ｇ，３Ｂのうち、振動させる液晶ライトバルブは緑色光用に限らず、赤色光用でも青色光用でも良い。しかしながら、赤、緑、青の３色のうち、人間の目の視感度が最も高い色は緑色であるから、本実施形態のように緑色の画素像をずらす構成とすることで第１フィールド、第２フィールド間の画像の明るさのバランスが良くなる。
【００３８】
なお、本発明の技術範囲は上記実施形態に限定されるものではなく、本発明の趣旨を逸脱しない範囲において種々の変更を加えることが可能である。例えば上記実施形態では、光変調素子として透過型の液晶ライトバルブを用いた例を挙げたが、その他、反射型の液晶ライトバルブ、デジタルマイクロミラーデバイス（ＤＭＤ：Digital Micromirror Device，登録商標）等を用いることもできる。また、上記実施形態で述べたプロジェクターの各部の具体的な構成は適宜変更が可能である。
【符号の説明】
【００３９】
１，３１，４１…プロジェクター、２…照明光学系、３Ｒ，３Ｇ，３Ｂ…液晶ライトバルブ（光変調素子）、４…クロスダイクロイックプリズム（色合成光学系）、５…投射レンズ（投射光学系）、７…光源、３０，３５，４５…振動機構（振動手段）、３４…光変調ユニット。
【図１】
2010243789.tif 000003
【図２】
2010243789.tif 000004
【図３】
2010243789.tif 000005
【図４】
2010243789.tif 000006
【図５】
2010243789.tif 000007
【図６】
2010243789.tif 000008
【図７】
2010243789.tif 000009